(57)【要約】【課題】            遊技場の遊技者に緊急事態発生を知らせるとともに、避難を開始した人が速やかに出口まで避難できるような避難誘導補助情報を表示する遊技情報表示装置及びこれを用いた遊技場避難誘導補助システム提供することを目的とする。【解決手段】        遊技場に配置された複数の遊技機の、各遊技機の台上に設置された遊技情報表示装置であって、遊技機から出力される遊技機情報を受信する遊技機情報受信機能と遊技場全体に配信される遊技場情報を受信する遊技場情報受信機能を備え、前記遊技機情報と前記遊技場情報の少なくとも一方を表示する画像表示装置を備え、遊技場情報として緊急避難情報が配信されたら、画像表示装置の表示を避難誘導情報に切り替えることを特徴とする遊技情報表示装置及びこれを用いた遊技場避難誘導補助システムを提供する。【選択図】          図４
2014188033.tif 000002
【特許請求の範囲】
【請求項１】
遊技場に配置された複数の遊技機の、各遊技機の台上に設置された遊技情報表示装置であって、
遊技機から出力される遊技機情報を受信する遊技機情報受信機能と遊技場全体に配信される遊技場情報を受信する遊技場情報受信機能を備え、
前記遊技機情報と前記遊技場情報の少なくとも一方を表示する画像表示装置を備え、
遊技場情報として緊急避難情報が配信されたら、画像表示装置の表示を避難誘導情報に切り替えることを特徴とする遊技情報表示装置。
【請求項２】
請求項１に記載の遊技情報表示装置であって、前記画像表示装置が自発光型ディスプレイまたはバックライトを有する透過型ディスプレイであることを特徴とする遊技情報表示装置。
【請求項３】
請求項１または２のいずれかに記載の遊技情報表示装置であって、前記画像表示装置が、幅方向に設けた回転軸により、設置角度が可変できることを特徴とする遊技情報表示装置。
【請求項４】
請求項１〜３のいずれかに記載の遊技情報表示装置であって、前記画像表示装置を停電時も機能させるため、充電式の蓄電池を備えるていることを特徴とする遊技情報表示装置。
【請求項５】
請求項１〜４のいずれかに記載の遊技情報表示装置であって、前記避難誘導情報として遊技場内の遊技機レイアウト、各遊技機の前記遊技機レイアウトにおける位置および避難経路を表示することを特徴とする遊技情報表示装置。
【請求項６】
請求項１〜５のいずれかに記載の遊技情報表示装置であって、音声出力機能を備え、緊急避難情報が配信された時に、警報音を発することを特徴とする遊技情報表示装置。
【請求項７】
請求項１〜６のいずれかに記載の遊技情報表示装置であって、前記画像表示装置がタッチパネルを備え、緊急避難情報が配信されている時を除き前記タッチパネルにより、前記画像表示装置に表示する内容を選択する機能を有し、選択可能な表示内容として遊技機レイアウト表示を備え、遊技中も避難経路を確認出来ることを特徴とする遊技情報表示装置。
【請求項８】
遊技場情報を配信する遊技場管理用コンピュータと、遊技場内に複数配置された各遊技機毎に設置された請求項１〜７のいずれかに記載の遊技情報表示装置を構成要素とする避難誘導補助システムであって、緊急事態発生時に、遊技機に設置された遊技情報表示装置が、各遊技機の位置に応じた避難経路を表示することを特徴とする遊技場避難誘導補助システム。
【請求項９】
請求項８に記載の遊技場避難誘導補助システムであって、各遊技情報表示装置が固体発光素子からなる光源を備え、光源の点滅タイミングを制御することで、点灯箇所が避難方向に向かって移動することを特徴とする遊技場避難誘導補助システム。
【発明の詳細な説明】
【技術分野】
【０００１】
本発明は、パチンコ、スロットマシン等、の遊技機に設置される遊技情報表示装置及びこれを用いた遊技場避難誘導補助システムに関する。
【背景技術】
【０００２】
多くの人が集まる施設では、火災等の災害時に逃げ遅れや集団パニックが生じやすく、各人を安全な場所に速やかに避難誘導出来るようにしておく必要がある。これは、パチンコ、スロットマシン等の遊技機が多数設置された遊技場においては特に重要である。なぜなら、遊技場においては遊技機から発せられる効果音や遊技場全体へのＢＧＭの音量が多く、また、この大音量を嫌って耳栓をする人もあって、火災報知器等の警報音が聞こえにくい状況であることがあげられる。また、遊技機の配置が入り組んだ形状となっている場合があり、複数の遊技機からなる遊技島が視覚的障害となり、避難経路の認知を妨げる可能性もある。実際、これまで遊技場火災では、火災発生の認知遅れおよび避難経路が把握できなかったことを原因として被災している人が多い。
【０００３】
そこで、例えば特許文献１に記載の発明では、地震、火災等の緊急時には、警報指示信号によって指示された警報を遊技機の表示装置に表示させ、避難行動を促すことが提案されており、避難口の位置や避難経路などの表示を行うことも可としている。
【先行技術文献】
【特許文献】
【０００４】
【特許文献１】特開２００８−２０６９４２号公報
【発明の概要】
【発明が解決しようとする課題】
【０００５】
特許文献１に記載の発明では、遊技機本体の表示装置を用いているため、遊技機の前に座り、遊技を行っている人にとっては判りやすい表示であり、緊急事態を知らせるのには有益である。しかし、遊技機を離れ、避難行動を始めた人にとって、遊技機の表示装置の表示内容を確認するのは難しく、避難経路を知るのにも手間がかかる。また、緊急事態を
知って、慌てて遊技機から離れた人は、遊技機の表示装置に避難経路が示されていることにも気付きにくい。
【０００６】
本発明は上記事情に鑑みてなされたものであり、実際の緊急事態発生時に、遊技者に緊急事態発生を知らせるとともに、避難を開始した人が速やかに出口まで避難できるような避難誘導補助情報を表示する遊技情報表示装置及びこれを用いた遊技場避難誘導補助システム提供することを目的とする。
【課題を解決するための手段】
【０００７】
上記課題を解決するための手段として、請求項１に記載の発明は、遊技場に配置された複数の遊技機の、各遊技機の台上に設置された遊技情報表示装置であって、遊技機から出力される遊技機情報を受信する遊技機情報受信機能と遊技場全体に配信される遊技場情報を受信する遊技場情報受信機能を備え、前記遊技機情報と前記遊技場情報の少なくとも一方を表示する画像表示装置を備え、遊技場情報として緊急避難情報が配信されたら、画像表示装置の表示を避難誘導情報に切り替えることを特徴とする。
【０００８】
請求項２に記載の発明は、請求項１に記載の遊技情報表示装置であって、前記画像表示装置が自発光型ディスプレイまたはバックライトを有する透過型ディスプレイであることを特徴とする。
【０００９】
請求項３に記載の発明は、請求項１または２のいずれかに記載の遊技情報表示装置であって、前記画像表示装置が、幅方向に設けた回転軸により、設置角度が可変できることを特徴とする。
【００１０】
請求項４に記載の発明は、請求項１〜３のいずれかに記載の遊技情報表示装置であって、前記画像表示装置を停電時も機能させるため、充電式の蓄電池を備えるていることを特徴とする。
【００１１】
請求項５に記載の発明は、請求項１〜４のいずれかに記載の遊技情報表示装置であって、前記避難誘導情報として遊技場内の遊技機レイアウト、各遊技機の前記遊技機レイアウトにおける位置および避難経路を表示することを特徴とする。
【００１２】
請求項６に記載の発明は、請求項１〜５のいずれかに記載の遊技情報表示装置であって、音声出力機能を備え、緊急避難情報が配信された時に、警報音を発することを特徴とする。
【００１３】
請求項７に記載の発明は、請求項１〜６のいずれかに記載の遊技情報表示装置であって、前記画像表示装置がタッチパネルを備え、緊急避難情報が配信されている時を除き前記タッチパネルにより、前記画像表示装置に表示する内容を選択する機能を有し、選択可能な表示内容として遊技機レイアウト表示を備え、遊技中も避難経路を確認出来ることを特徴とする。
【００１４】
請求項８に記載の発明は、遊技場情報を配信する遊技場管理用コンピュータと、遊技場内に複数配置された各遊技機毎に設置された請求項１〜７のいずれかに記載の遊技情報表示装置を構成要素とする避難誘導補助システムであって、緊急事態発生時に、遊技機に設置された遊技情報表示装置が、各遊技機の位置に応じた避難経路を表示することを特徴とする。
【００１５】
請求項９に記載の発明は、請求項８に記載の遊技場避難誘導補助システムであって、各遊技情報表示装置が固体発光素子からなる光源を備え、光源の点滅タイミングを制御することで、点灯箇所が避難方向に向かって移動することを特徴とする。
【発明の効果】
【００１６】
本発明によれば、遊技場において、火災等の緊急時の緊急事態発生を遊技者に知らせるのみならず、避難開始後の人を出口まで速やかに誘導することが可能となる。
【図面の簡単な説明】
【００１７】
【図１】遊技場内における遊技機レイアウトの一例を示す図である。
【図２】遊技場内における遊技島に関する説明図である。
【図３】遊技情報表示装置の設置状態を示す図である。
【図４】遊技機と遊技情報表示装置の関係を示す図である。
【図５】遊技情報表示装置の外観を示す図である。
【図６】遊技情報表示装置を主に情報の発・受信を行う装置を示す図である。
【図７】画像表示装置の表示内容の例を示す図である。
【図８】画像表示装置に表示する避難経路の一例を示す図である。
【図９】遊技機複数台の遊技情報表示装置の光源を用いた避難誘導を示す図である。
【発明を実施するための形態】
【００１８】
以下、本発明を実施するための形態を図面を用いて説明する。まず、図１は、遊技場１０における、パチンコ、スロットマシン等の遊技機レイアウトの一例を示している。遊技機１は個々の遊技島１０１内に複数台配置されており、遊技機１と遊技島１０１の関係は、遊技島１０１ａを例にすると、図２（ａ）と図２（ｂ）のようになる。
図１から判るとおり、遊技場内は複数の遊技島が入り組んで配置され、出口に至る経路が非常に複雑になることも多い。
【００１９】
本発明における遊技情報表示装置２は、図３に示すように遊技場１０内の個々の遊技機１の上部に設置され、図４のように、この遊技情報表示装置２は遊技機の表示装置１１に比べて画面が大きく、高い位置に設置されている。図５（ａ）では、遊技情報表示装置２が、画像表示装置２１と、その周囲に配された光源２２を備えていることを示している。ここで、画像表示装置２１としては、緊急時も視認性を確保するために、表示画面が明るいものが好ましく、有機ＥＬディスプレイのような自発光型ディスプレイや、液晶ディスプレイのような、バックライトを有する透過型ディスプレイが好ましい。画像表示装置２１の周囲に配す光源２２としては、発光効率が高く応答速度も速く、しかも小面積への付設が可能な、発光ダイオードや有機ＥＬ照明等の固体発光素子が好ましい。また、この遊技情報表示装置２は、図５（ｂ）のように、幅方向に設けた回転軸２４により、設置角度が可変出来るようになっている。
【００２０】
情報という観点では、この遊技情報表示装置２は、図６のように、遊技機１から出力される遊技機情報を受信する遊技機情報受信機能２５と遊技場全体に配信される遊技場情報を受信する遊技場情報受信機能２６を備えるとともに、警報音等の音声を発する音声出力機能２３を備える。ここで、遊技場情報は遊技場管理用コンピュータ３から配信され、図６のように、遊技場管理用コンピュータ３と遊技場情報受信機能２６が直結している場合の他に、この間に遊技島単位の管理を行うコンピュータが介在する場合がある。
【００２１】
遊技場管理用コンピュータ３は火災報知システム４の信号を受信する機能を有しており、図示していないインターネット回線等を通じて地震情報等の遊技場外部からの緊急事態発生情報を受信することも可能である。火災報知システム４は、煙感知器や熱感知器からなる感知器４１と複数の感知器４１の信号を受け、外部に検知箇所等の信号を発信する機能を有した受発信器４０を備える。
【００２２】
なお、本発明の遊技情報表示装置２の構成要素のいくつかは、タブレット端末と呼ばれる市販の携帯電子機器が有していることから、遊技情報表示装置２の基本部分にタブレット端末を利用することも可能である。タブレット端末は量産品であることから、遊技情報表示装置を安価に構成するのに好適である。なお、画面サイズとしては７インチ以上、好ましくは１０インチ以上が望ましい。
【００２３】
次に、遊技情報表示装置２の働きおよび、遊技情報表示装置２の機能を活かした遊技場避難誘導補助システムについて説明する。まず、通常の遊技中における表示画面を図に示す。図７（ａ）は、画像表示装置２１の表示が遊技機情報の場合の例であり、図７（ｂ）は遊技場情報の場合の例であり、両方の情報を同時に表示することもあり得る。遊技中に、画像報表示装置２１の表示を何にするかは、切替可能であり、例えば画面下部のタッチパネルを用いて任意に選択することが出来る。
【００２４】
しかし、遊技場管理コンピュータ３から緊急情報が発信されると、タッチパネルによる表示切替は不可となり、緊急情報が表示される。例えば、火災が発生した場合は図７（ｃ）のような表示となる。図７（ｃ）のような緊急情報表示と同時に、音声出力機能２３は緊急情報を音声で知らせ、画像表示装置２１の周囲に配された光源２２が遊技時とは異なる色を発したり点滅をするなどして、緊急事態発生を遊技者に知らせる。
【００２５】
以上のような画像表示装置２１、光源２２および音声出力機能２３による遊技者への緊急事態通知を一定時間（数秒から数十秒）行った後、遊技者を速やかに避難させるステップへと移行する。
【００２６】
まず、画像表示装置２１は図７（ｄ）のように避難経路を表示する。避難経路の表示例を図８に示すが、遊技場内の遊技機レイアウト及び、各遊技機毎（遊技情報表示装置毎）に、遊技機レイアウトにおける位置と、その位置から出口までの経路を表示する。なお、各遊技機から出口までの経路の選定は、事前のシミュレーション結果等を参考に、火災を検知した感知器４１の位置、出口の位置および遊技機の位置等の情報を基に、遊技場管理用コンピュータ３等の演算手段によって選ばれる。
例えば、作動中の遊技機１から出される信号より、遊技場内における遊技者がいる場所が判ることから、遊技者分布に応じた適切な避難経路を選定することも可能である。
【００２７】
なお、緊急事態発生の情報とともに避難を開始した人や、避難経路の全体を記憶出来なかった人などにとって、避難中にも避難経路を逐次確認できることは混乱防止にも有益である。その点、本発明の遊技情報表示装置２は遊技機１の上に配置されており、歩いている人にとって見易い高さに配置されていて見易い。また、充電式の蓄電池での駆動が可能であれば、遊技場内が停電になった場合でも表示内容を確認することが出来る。さらに、図５（ｂ）に示すように、画面を若干下向きにすれば、停電時の足下照明にも成り得る。
【００２８】
更に、避難経路を確認しなくても、直感的に避難方向を知ることが、画像表示装置２１の周囲に配した光源２２を用いることによって可能となる。すなわち、図３のように連続して配置された遊技機１の、一部の遊技情報表示装置２の光源２２のみを点灯し、図９において、画像表示装置２１の周囲が白くなっているものを光源２２が点灯しているものとすれば、その点灯位置を図９（ａ）から図９（ｄ）のように移動して、図９における左から右側へ光が動くように見え、その方向に誘導することが可能となる。このような光による誘導を行うのに際して、発光位置の切り替わりの早さが重要であり、この理由より、光源２２には応答速度の速さが求められる。
【００２９】
以上、遊技情報表示装置２および遊技情報表示装置２を用いた避難誘導補助システムの実施形態について説明を火災発生時を例に説明したが、本発明は火災発生時に限定されるものではなく、他の緊急事態、例えば地震発生時の避難誘導にも有効である。
【００３０】
また、遊技機レイアウトは緊急事態発生時に表示されるだけではなく、通常の遊技時に選択可能な表示の一つとして備えることも可能である。通常時の遊技機レイアウトの表示では、避難誘導以外の情報、例えばトイレや景品カウンターも表示出来るようにしておけば、通常時も遊技者がマップを見る機会を増やすことが出来る。
【産業上の利用可能性】
【００３１】
本発明の遊技情報表示装置及び遊技場避難誘導補助システムは、数多くの遊技機が入り組んで配置されているような遊技場でも、緊急時に多くの人を速やかに避難誘導することが出来る。
【符号の説明】
【００３２】
１      遊技機
２      遊技情報表示装置
３      遊技場管理用コンピュータ
４      火災報知システム
１０      遊技場
１１      遊技機の表示装置
２１      画像表示装置
２２      光源
２３      音声出力機能
２４      回転軸
２５      遊技機情報受信機能
２６      遊技場情報受信機能
【図１】
2014188033.tif 000003
【図２】
2014188033.tif 000004
【図３】
2014188033.tif 000005
【図４】
2014188033.tif 000006
【図５】
2014188033.tif 000007
【図６】
2014188033.tif 000008
【図７】
2014188033.tif 000009
【図８】
2014188033.tif 000010
【図９】
2014188033.tif 000011